(57)【特許請求の範囲】
【請求項１】
断熱管の上流側端部の取付面の上縁に連続して、上方へ突出し幅方向へ延びる断面長方形の突条を形成し、気化器本体の下流側端部の取付面の上縁に連続して、上方へ突出し幅方向へ延びる断面逆Ｕ字形の係止片を形成し、前記係止片の内面と前記突条との隙間に弾性を有する少くとも１枚のスペーサを介装し、前記気化器本体を前記断熱管を介して左右１対の取付ボルトにより機関に取り付けたことを特徴とする気化器の取付装置。
【請求項２】
断熱管の上流側端部の取付面の上縁に連続して、上方へ突出し幅方向へ延びる断面逆台形の突条を形成し、気化器本体の下流側端部の取付面の上縁に連続して、上方へ突出し幅方向へ延びる断面逆台形の突条を前記断熱管の突条と対称に形成し、前記断熱管の突条と前記気化器本体の突条とを整合させ、断面が逆Ｕ字形で開口部が狭い弾性クリツプを前記両方の突条に嵌合し、前記気化器本体を前記断熱管を介して左右１対の取付ボルトにより機関に取り付けたことを特徴とする気化器の取付装置。
【発明の詳細な説明】
【０００１】
【発明の属する技術分野】
本発明は補器などが付くことにより大型化した気化器本体を、断熱管を介して取付ボルトにより機関に取り付ける気化器の取付装置、詳しくは取付ボルトの本数を増やさなくても、気化器本体と断熱管の取付面の隙間から空気が吸入されることがない気化器の取付装置に関するものである。
【０００２】
【従来の技術】
図４は従来の気化器１０Ｂの概略を示す正面図、図５は同側面図である。気化器１０Ｂは気化器本体１２の端部フランジに設けた左右１対のボルト挿通孔３０を貫通する取付ボルト３４により、断熱管３６を介して機関３８に取り付けられる。気化器本体１２の底部には補助燃料ポンプ３２が取り付けられる。気化器１０Ｂは機関のピストンの摺動に伴うクランク室の圧力変動を利用してクランク室へ混合気を吸入し、クランク室の混合気を加圧してシリンダの燃料室へ供給する２行程内燃機関に適用される。２行程内燃機関ではクランク室で加圧された混合気を掃気口を経てシリンダへ供給することにより、シリンダの燃焼室に残つている燃焼ガスの掃気を行うものであるので、燃焼ガスの掃気を良好に行おうとすれば、燃焼室へ流入した混合気の一部が燃焼ガスと一緒に排気口を経て大気中へ排出されるという吹抜け現象が発生する。
【０００３】
気化器１０Ｂの吹抜け現象を抑止するために、気化器本体１２には混合気通路１４と空気通路１６が互いに平行に形成され、気化器本体１２に混合気通路１４を垂直に横切る円筒状の弁室（図示せず）と、空気通路１６を垂直に横切る円筒状の弁室とが共通の軸線をもつように連通して形成される。混合気通路１４の燃料を制御するための弁孔１８を有する円柱状の絞り弁２０と、空気通路１６の空気量を制御するための弁孔２２を有する円柱状の空気制御弁２４とが共通の軸線をもつように一体に構成される。混合気通路１４を横切る円筒状の弁室に絞り弁２０が、空気通路１６を横切る円筒状の弁室に空気制御弁２４が、それぞれ回転可能にかつ軸方向移動可能に嵌挿される。
【０００４】
機関の運転時、絞り弁２０と空気制御弁２４の共通の弁軸２６に結合した絞り弁レバー２８を回動すると、絞り弁２０と空気制御弁２４とが同時に回転し、絞り弁２０の弁孔１８の開度に応じて混合気が機関のクランク室へ吸入され、同時に空気制御弁２４の弁孔２２の開度に応じて掃気用の空気が機関の掃気通路へ吸入される。
【０００５】
図５に示すように、気化器本体１２は上流側端部に空気清浄器４０を突き合せ、下流側端部を断熱管３６に突き合せ、左右１対の取付ボルト３４により機関３８に取り付けられる。断熱管３６は例えば合成樹脂により形成され、機関３８から気化器本体１２への熱の伝達を抑制する。気化器本体１２の下流側端部の取付面１２ａが断熱管３６の取付面３６ａに密着し、断熱管３６の取付面３６ｂが機関３８の取付面３８ａに密着される。
【０００６】
ところで、気化器１０Ｂは吹抜け現象を抑えるために、補器として気化器本体１２の内部に空気通路１６と空気制御弁２４を組み込んでいるので、気化器本体１２が縦長のもの、つまり嵩高なものになる。従来の補器を備えていない気化器のための左右１対の取付ボルト３４と機関の取付ねじ孔とを用いて、嵩高な気化器を断熱管３６を介して機関３８に取り付けるだけでは、図５に示すように、取付ボルト３４の位置から離れた気化器本体１２の上部付近では、気化器本体１２の取付面１２ａと断熱管３６の取付面３６ａとの接触面圧が弱くなり、気化器本体１２の取付面１２ａと断熱管３６の取付面３６ａとの隙間から空気が吸い込まれる恐れがある。空気の吸入を防止するには、取付ボルト３４の本数を増やさなければならない。
【０００７】
【発明が解決しようとする課題】
本発明の課題は上述の問題に鑑み、補器などにより気化器本体が大型化しても、取付ボルトの本数を増やすことなく、気化器本体と断熱管の取付面の隙間から空気が吸入されることがないように結合した気化器の取付装置を提供することにある。
【０００８】
【課題を解決するための手段】
上記課題を解決するために、本発明の構成は断熱管の上流側端部の取付面の上縁に連続して、上方へ突出し幅方向へ延びる断面長方形の突条を形成し、気化器本体の下流側端部の取付面の上縁に連続して、上方へ突出し幅方向へ延びる断面逆Ｕ字形の係止片を形成し、前記係止片の内面と前記突条との隙間に弾性を有する少くとも１枚のスペーサを介装し、前記気化器本体を前記断熱管を介して左右１対の取付ボルトにより機関に取り付けたことを特徴とする。
【０００９】
また、本発明の構成は断熱管の上流側端部の取付面の上縁に連続して、上方へ突出し幅方向へ延びる断面逆台形の突条を形成し、気化器本体の下流側端部の取付面の上縁に連続して、上方へ突出し幅方向へ延びる断面逆台形の突条を前記断熱管の突条と対称に形成し、前記断熱管の突条と前記気化器本体の突条とを整合させ、断面が逆Ｕ字形で開口部が狭い弾性クリツプを前記両方の突条に嵌合し、前記気化器本体を前記断熱管を介して左右１対の取付ボルトにより機関に取り付けたことを特徴とする。
【００１０】
【発明の実施の形態】
本発明では気化器本体に設けた逆Ｕ字形の係止片を、断熱管に設けた突条に係止する。係止片を突条に係止した時に生じる係止片と突条との隙間に、弾性を有する少くとも１枚のスペーサを介装したうえ、気化器本体を断熱管を介して左右１対の取付ボルトにより機関に取り付ける。取付ボルトの取付位置が低位にあつても、取付ボルトから離れた気化器本体の上部付近で、気化器本体の取付面と断熱管の取付面との間の接触面圧が弱くなることがない。
【００１１】
また、本発明では断熱管に設けた突条と気化器本体に設けた突条とを整合させ、両方の突条に断面が逆Ｕ字形で開口部が狭い弾性クリツプを係止する。次いで、気化器本体を断熱管を介して左右１対の取付ボルトにより機関に取り付ける。取付ボルトから離れた気化器本体の上部付近では、気化器本体の取付面と断熱管の取付面との間の接触面圧が弾性クリツプにより維持される。
【００１２】
【実施例】
図１に示すように、気化器１０の気化器本体１２は上流側端部に空気清浄器４０を突き合せたうえ、下流側端部を断熱管３６に突き合せ、左右１対の取付ボルト３４により機関３８に取り付けられる。図２は取付ボルト３４を取り付ける前の、気化器１０と断熱管３６との関係を示す側面図である。アルミニウム合金などからなる気化器本体１２の内部構造は、図４，５に示すものと同じであり、絞り弁と空気制御弁の共通の弁軸２６には絞り弁レバー２８が結合され、気化器本体１２の底部には補助燃料ポンプ３２が備えられる。
【００１３】
断熱管３６は例えば合成樹脂により形成されるものであり、機関３８から気化器本体１２への熱の伝達を抑える。断熱管３６は上流側端部に取付面３６ａの上縁に連続して、断熱管３６の上方へ突出しかつ幅方向へ延びる断面長方形の突条４４を一体に設けられる。一方、気化器本体１２の下流側端部の取付面１２ａの上縁に連続して、取付面１２ａの上方へ突出しかつ幅方向に延びる断面逆Ｕ字形の係止片４２が、気化器本体１２と一体に形成される。
【００１４】
気化器本体１２を機関３８に取り付けるには、まず断熱管３６の突条４４に気化器本体１２の係止片４２を係止する。断熱管３６の突条４４に、気化器本体１２の係止片４２を係止すると、係止片４２の内面と突条４４との間に隙間が生じる。図２に示すように、隙間に弾性のある１枚または複数枚のスペーサ４８を介装する。係止片４２を突条４４に係止する前に、断熱管３６を別の取付ボルトにより機関３８に予め取り付けておくのが好ましい。図２に示す状態から、気化器本体１２の取付面１２ａを、断熱管３６の取付面３６ａに密着させ、空気清浄器４０と一緒に気化器本体１２を左右１対の取付ボルト３４により断熱管３６に取り付ける。
【００１５】
本実施例によれば、補器として空気通路１６と空気制御弁２４とを設けることにより大型化した気化器本体１２を、断熱管３６を介して取付ボルト３４により機関３８に取り付ける場合に、係止片４２を突条４４に係止した時に生じる係止片４２の内面と突条４４との間の隙間に、弾性のある１枚または複数枚のスペーサを介装することにより、取付ボルト３４の位置から離れた気化器本体１２の上部付近で、気化器本体１２の取付面１２ａと断熱管３６の取付面３６ａとの接触面圧が弱くなることがない。その結果、気化器本体１２の取付面１２ａと断熱管３６の取付面３６ａとの間の隙間から空気が吸入される恐れもなくなり、取付ボルト３４の本数を増やす必要もなくなる。
【００１６】
図３に示す実施例では、断熱管３６には上流側端部の取付面３６ａの上縁に連続して、上方へ突出しかつ幅方向へ延びる断面が逆台形の突条５２が一体に形成される。一方、気化器本体１２の下流側端部の取付面１２ａの上縁に連続して、突条５２と対称の突条５０が一体に形成される。断熱管３６は例えば合成樹脂により形成されるものであり、機関３８から気化器本体１２への熱の伝達を抑制する。
【００１７】
気化器本体１２を機関３８に取り付けるには、まず断熱管３６の突条５２と、気化器本体１２の突条５０とを突き合せる。断面が逆Ｕ字形で開口部が狭い弾性クリツプ５４を両突条５０，５２に跨がつて係合する。空気清浄器４０と気化器本体１２を断熱管３６を介して左右１対の取付ボルト３４により機関３８に取り付ける。
【００１８】
本実施例によれば、例えば空気通路１６と空気制御弁２４を設けることにより嵩高になつた気化器本体１２を、断熱管３６を介して左右１対の取付ボルト３４により機関３８に取り付ける場合に、断面が逆Ｕ字形で開口部が狭い弾性クリツプ５４を、両突条５０，５２に跨がつて嵌合することにより、取付ボルト３４の位置から離れた気化器本体１２の上部付近で、気化器本体１２の取付面１２ａと断熱管３６の取付面３６ａとの接触面圧が弱くなることがない。気化器本体１２の取付面１２ａと断熱管３６の取付面１２ａの隙間から空気が吸入される恐れがなくなり、取付ボルト３４の本数を増やす必要もなくなる。
【００１９】
なお、上述の実施例では空気通路と空気制御弁を付加して嵩高になつた気化器の場合について説明したが、本発明はこれに限定されるものではなく、種々の気化器に適用できる。
【００２０】
【発明の効果】
本発明は上述のように、断熱管の上流側端部の取付面の上縁に連続して、上方へ突出し幅方向へ延びる断面長方形の突条を形成し、気化器本体の下流側端部の取付面の上縁に連続して、上方へ突出し幅方向へ延びる断面逆Ｕ字形の係止片を形成し、前記係止片の内面と前記突条との隙間に弾性を有する少くとも１枚のスペーサを介装し、気化器本体を断熱管を介して左右１対の取付ボルトにより機関に取り付けたので、嵩高の気化器本体の取付ボルトの位置から離れた上部付近でも、気化器本体の取付面と断熱管の取付面との間に密着圧が維持され、気化器本体の取付面と断熱管の取付面の隙間から空気が吸い込まれる恐れもなくなり、取付ボルトの本数を増やす必要もなくなる。
【００２１】
また、断熱管の上流側端部と気化器本体の下流側端部との各取付面の上縁に連続して、上方へ突出し幅方向へ延びる断面逆台形の突条を対称に形成し、両方の突条に断面が逆Ｕ字形で開口部が狭い弾性クリツプを嵌合しても、気化器本体の取付面と断熱管の取付面との間に密着圧が維持され、気化器本体の取付面と断熱管の取付面の隙間から空気が吸い込まれる恐れもなくなり、取付ボルトの本数を増やす必要もなくなる。
【図面の簡単な説明】
【図１】本発明に係る気化器本体を断熱管を介して機関に取り付けた状態を示す気化器の取付装置の側面図である。
【図２】同気化器を取付ボルトにより取り付ける前の状態を示す側面図である。
【図３】本発明の第２実施例に係る気化器の取付装置の側面図である。
【図４】従来の気化器の概略構成を示す正面図である。
【図５】同気化器を断熱管を介して機関に取り付けた状態を示す側面図である。
【符号の説明】
１０：気化器  １０Ａ：気化器  １２：気化器本体  １２ａ：取付面  １４：混合気通路  １６：空気通路  ２０：ロータリ絞り弁  ２４：ロータリ空気制御弁２６：弁軸  ２８：絞り弁レバー  ３４：取付ボルト  ３６：断熱管  ３６ａ：取付面  ３６ｂ：取付面  ３８：機関  ３８ａ：取付面  ４０：空気清浄器  ４２：係止片  ４４：突条  ４６：傾斜面  ４８：スペーサ  ５０：突条  ５２：突条  ５４：弾性クリツプ
【図１】
0004070227.tif 000002
【図２】
0004070227.tif 000003
【図３】
0004070227.tif 000004
【図４】
0004070227.tif 000005
【図５】
0004070227.tif 000006